(57)【要約】【課題】着用物品に取り付け易い延出可能部を有する吸収性物を提供することができる。【解決手段】吸収性物品（１０）は、前後方向（Ｌ）と、前後方向に直交する幅方向（Ｗ）と、着用者の肌側に向けられる表面シート（１２）と、着用者の肌とは反対側に向けられる裏面シート（２０）と、前後方向の中心を含む本体部（１１）と、少なくとも本体部における裏面シートの非肌面側に設けられた粘着部（５０）と、本体部と厚み方向に重なるように折り畳まれ、本体部よりも外側に延出可能な延出可能部（７０）と、を有する。延出可能部は、表面シートが向かい合うように吸収性物品を折り返す第１折り部（ＦＬ１）と、裏面シートが向かい合うように吸収性物品を折り返す第２折り部（ＦＬ２）と、の間の領域を少なくとも含む。延出可能部と本体部は、前記第１折り部と第２折り部との間の領域で、仮止め部（６０）によって仮止めされている。【選択図】図１
2019118578.tif 000002
【特許請求の範囲】
【請求項１】
前後方向と、
前記前後方向に直交する幅方向と、
着用者の肌側に向けられる表面シートと、
着用者の肌とは反対側に向けられる裏面シートと、
前記前後方向の中心を含む本体部と、
少なくとも前記本体部における前記裏面シートの非肌面側に設けられた粘着部と、
前記本体部と厚み方向に重なるように折り畳まれ、前記本体部よりも外側に延出可能な延出可能部と、を有する吸収性物品であって、
前記延出可能部は、前記表面シートが向かい合うように前記吸収性物品を折り返す第１折り部と、前記裏面シートが向かい合うように前記吸収性物品を折り返す第２折り部と、の間の領域を少なくとも含み、
前記延出可能部と前記本体部は、前記第１折り部と前記第２折り部との間の領域で、仮止め部によって仮止めされている、吸収性物品。
【請求項２】
前記表面シートと前記裏面シートとの間に吸収コアを有し、
前記仮止め部は、前記吸収コアを避けた位置に設けられている、請求項１に記載の吸収性物品。
【請求項３】
前記延出可能部は、前記第１折り部と前記第２折り部との間の第１部分と、非延出状態で前記第１部分に厚み方向に重なる第２部分と、を含み、
前記仮止め部は、前記本体部と前記第１部分と前記第２部分とが重なった領域に設けられている、請求項１又は２に記載の吸収性物品。
【請求項４】
前記延出可能部は、前記第１折り部と前記第２折り部との間の第１部分と、非延出状態で前記第１部分に厚み方向に重なる第２部分と、を含み、
前記仮止め部は、前記本体部と前記第１部分とが重なり、かつ前記第１部分と前記第２部分とが重なっていない領域に設けられている、請求項１又は２に記載の吸収性物品。
【請求項５】
前記第１折り部と前記第２折り部との間の前記仮止め部は、前記延出可能部の非延出状態で前記第１折り部と前記第２折り部のうち前記延出可能部の延出方向の上流側の折り部に近い方に位置する、請求項１から４のいずれか１項に記載の吸収性物品。
【請求項６】
前記第１折り部と前記第２折り部との間の前記仮止め部は、前記延出可能部の非延出状態で前記第１折り部と前記第２折り部のうち前記延出可能部の延出方向の下流側の折り部に近い方に位置する、請求項１から４のいずれか１項に記載の吸収性物品。
【請求項７】
前記延出可能部は、前記本体部よりも前方又は後方に延出可能に構成されている、請求項１から６のいずれか１項に記載の吸収性物品。
【請求項８】
前記第２折り部は、前記延出可能部の延出状態において前記第１折り部よりも前記吸収性物品の中心から遠い方に位置する、請求項１から７のいずれか１項に記載の吸収性物品。
【請求項９】
前記表面シートは不織布から構成されており、
前記仮止め部は、少なくとも前記延出可能部における前記表面シートと、前記本体部における前記表面シートとを接合する接合部である、請求項１から８のいずれか１項に記載の吸収性物品。
【請求項１０】
前記粘着部は、前記幅方向から見て少なくとも前記本体部の前記仮止め部の位置に重なっている、請求項１から９のいずれか１項に記載の吸収性物品。
【請求項１１】
前記第１折り部は、前記延出可能部の延出状態において前記第２折り部よりも前記吸収性物品の中心から遠い方に位置する、請求項１から７のいずれか１項に記載の吸収性物品。
【発明の詳細な説明】
【技術分野】
【０００１】
本発明は、着用物品に対するずれを防止するための粘着部を有する吸収性物品に関する。
【背景技術】
【０００２】
生理用ナプキン、パンティライナー、大人用失禁パッド又は尿取りパッドのような吸収性物品は、使用時に、着用者に着用される着用物品の内側に取り付けられる。一般に、着用物品の内側に取り付けられる吸収性物品は、着用物品に対する吸収性物品のずれを防止するための粘着部を有する。この粘着部は、吸収性物品の肌面側（着用者の肌に面する側）とは反対側の面に設けられる。
【０００３】
特許文献１に記載された吸収性物品は、後方に延出可能に折り畳まれた延出可能部を有する。吸収性物品は、肌面側から見て山折りされた第１折り部と、肌面側から見て谷折りされた第２折り部と、を有する。すなわち、吸収性物品の第１折り部よりも後方の部分は、第１折り部において、非肌面側に折り返されている。また、吸収性物品の第２折り部よりも後方の部分は、第２折り部においてさらに非肌面側に折り返されている。延出可能部は、吸収性物品の展開状態、すなわち延出可能部の延出状態において、第１折り部よりも後方の領域に相当する。ここで、延出可能部は、吸収性物品の、第１折り部よりも前方の部分に対して非肌面側に重なるように配置される。
【０００４】
吸収性物品は、延出可能部が延出されていない状態、すなわち前後方向に短い状態と、延出可能部が延出された状態、すなわち前後方向に長い状態の両方で使用可能になっている。
【先行技術文献】
【特許文献】
【０００５】
【特許文献１】国際公開第２０１６／０３２４８８号
【発明の概要】
【発明が解決しようとする課題】
【０００６】
本願の発明者は、特許文献１に記載された吸収性物品を着用物品に取り付けた状態で、着用物品の延出可能部を引き出すことを考えた。しかしながら、特許文献１に記載された吸収性物品では、延出可能部の折り畳まれた部分に仮止めが設けられていないため、折り畳まれた部分が自然に展開されたり、浮き上がったりする可能性がある。したがって、延出可能部の位置がずれたり、延出可能部が裏面シートの粘着部に付着したりしてしまう。よって、吸収性物品を着用物品に取り付けにくい。
【０００７】
したがって、着用物品に取り付け易い延出可能部を有する吸収性物品が望まれる。
【課題を解決するための手段】
【０００８】
一態様に係る吸収性物品は、前後方向と、前記前後方向に直交する幅方向と、着用者の肌側に向けられる表面シートと、着用者の肌とは反対側に向けられる裏面シートと、前記前後方向の中心を含む本体部と、少なくとも前記本体部における前記裏面シートの非肌面側に設けられた粘着部と、前記本体部と厚み方向に重なるように折り畳まれ、前記本体部よりも外側に延出可能な延出可能部と、を有する。前記延出可能部は、前記表面シートが向かい合うように前記吸収性物品を折り返す第１折り部と、前記裏面シートが向かい合うように前記吸収性物品を折り返す第２折り部と、の間の領域を少なくとも含む。前記延出可能部と前記本体部は、前記第１折り部と前記第２折り部との間の領域で、仮止め部によって仮止めされている。
【図面の簡単な説明】
【０００９】
【図１】図１は、肌面側から見た第１実施形態に係る吸収性物品の非延出状態における平面図である。
【図２】図２は、非肌面側から見た第１実施形態に係る吸収性物品の非延出状態における平面図である。
【図３】図３は、肌面側から見た第１実施形態に係る吸収性物品の延出状態における平面図である。
【図４】図４は、非肌面側から見た第１実施形態に係る吸収性物品の延出状態における平面図である。
【図５】図５は、第１実施形態に係る吸収性物品において非延出状態から延出状態へ移行するようすを示す模式図である。
【図６】図６は、第１実施形態に係る吸収性物品において非延出状態から延出状態へ移行するようすを示す模式図である。
【図７】図７は、第１実施形態に係る吸収性物品において非延出状態から延出状態へ移行するようすを示す模式図である。
【図８】図８は、第２実施形態に係る吸収性物品において非延出状態から延出状態へ移行するようすを示す模式図である。
【図９】図９は、第２実施形態に係る吸収性物品において非延出状態から延出状態へ移行するようすを示す模式図である。
【図１０】図１０は、第２実施形態に係る吸収性物品において非延出状態から延出状態へ移行するようすを示す模式図である。
【図１１】図１１は、肌面側から見た第３実施形態に係る吸収性物品の非延出状態における平面図である。
【図１２】図１２は、非肌面側から見た第３実施形態に係る吸収性物品の非延出状態における平面図である。
【図１３】図１３は、肌面側から見た第３実施形態に係る吸収性物品の延出状態における平面図である。
【図１４】図１４は、非肌面側から見た第３実施形態に係る吸収性物品の延出状態における平面図である。
【発明を実施するための形態】
【００１０】
（１）実施形態の概要
本明細書及び添付図面の記載により、少なくとも以下の事項が明らかとなる。
【００１１】
一態様に係る吸収性物品は、前後方向と、前記前後方向に直交する幅方向と、着用者の肌側に向けられる表面シートと、着用者の肌とは反対側に向けられる裏面シートと、前記前後方向の中心を含む本体部と、少なくとも前記本体部における前記裏面シートの非肌面側に設けられた粘着部と、前記本体部と厚み方向に重なるように折り畳まれ、前記本体部よりも外側に延出可能な延出可能部と、を有する。前記延出可能部は、前記表面シートが向かい合うように前記吸収性物品を折り返す第１折り部と、前記裏面シートが向かい合うように前記吸収性物品を折り返す第２折り部と、の間の領域を少なくとも含む。前記延出可能部と前記本体部は、前記第１折り部と前記第２折り部との間の領域で、仮止め部によって仮止めされている。
【００１２】
本態様によれば、仮止め部により、延出可能部の非延出状態において、延出可能部が本体部から浮き上がることを抑制することができる。したがって、使用者が使用前に吸収性物品を扱っている際に、延出可能部が本体部から浮き上がったり、本体部からずれたりすることによって、延出可能部が本体部の粘着部に付着してしまうことを抑制することもできる。したがって、着用物品に取り付け易い延出可能部を有する吸収性物品を提供することができる。
【００１３】
好ましい一態様によれば、吸収性物品は、前記表面シートと前記裏面シートとの間に吸収コアを有し、前記仮止め部は、前記吸収コアを避けた位置に設けられている。
【００１４】
吸収コアを避けた位置で仮止めするため、仮止め部を剥がす際に吸収コア上の表面シートにダメージが及ぶことを抑制することができ、吸収コアからの液体の漏れを抑制できる。
【００１５】
また、仮止め部が溶着により形成される場合、仮止めを行う両シートは互いに厚み方向に押しつけられながら溶着される。したがって、仮止め部を比較的厚みの大きい吸収コアを避けた位置に配置することによって、吸収性物品の製造時に仮止めし易い。
【００１６】
好ましい一態様によれば、前記延出可能部は、前記第１折り部と前記第２折り部との間の第１部分と、非延出状態で前記第１部分に厚み方向に重なる第２部分と、を含み、前記仮止め部は、前記本体部と前記第１部分と前記第２部分とが重なった領域に設けられている。
【００１７】
これにより、延出可能部をしっかりと仮止めすることができる。
【００１８】
好ましい一態様によれば、前記延出可能部は、前記第１折り部と前記第２折り部との間の第１部分と、非延出状態で前記第１部分に厚み方向に重なる第２部分と、を含み、前記仮止め部は、前記本体部と前記第１部分とが重なり、かつ前記第１部分と前記第２部分とが重なっていない領域に設けられている。
【００１９】
これにより、比較的弱い力で仮止め部が外れるため、使用者は、延出可能部を引き出し易い。
【００２０】
好ましい一態様によれば、前記第１折り部と前記第２折り部との間の前記仮止め部は、前記延出可能部の非延出状態で前記第１折り部と前記第２折り部のうち前記延出可能部の延出方向の上流側の折り部に近い方に位置する。
【００２１】
これにより、使用者が、延出可能部を引き出す際に、まず仮止め部が外れてから、延出可能部が引き出される。これにより、仮止め部に引き出す際の力がしっかりとかかるので、使用者は、仮止め部を容易に外すことができる。
【００２２】
好ましい一態様によれば、前記第１折り部と前記第２折り部との間の前記仮止め部は、前記延出可能部の非延出状態で前記第１折り部と前記第２折り部のうち前記延出可能部の延出方向の下流側の折り部に近い方に位置する。
【００２３】
これにより、使用者が、延出可能部を引き出した際に、最大限引き出す直前に仮止め部が外れる。したがって、使用者は、仮止め部が外れる感触によって延出可能部を最大限引き出したかどうかを認識することができる。
【００２４】
好ましい一態様によれば、前記延出可能部は、前記本体部よりも前方又は後方に延出可能に構成されている。
【００２５】
使用者は、腹側又は後側から着用物品の中に手を入れやすい。したがって、延出可能部が前方又は後方に延出可能であれば、使用者は、吸収性物品が貼り付けられた状態の着用物品の装着中に、延出可能部を延出し易い。
【００２６】
好ましい一態様によれば、前記第２折り部は、前記延出可能部の延出状態において前記第１折り部よりも前記吸収性物品の中心から遠い方に位置する。
【００２７】
本態様によれば、裏面シートが向かい合うように吸収性物品を折り返す第２折り部が、表面シートが向かい合うように吸収性物品を折り返す第１折り部よりも吸収性物品の中心から遠い方に位置することになる。これにより、延出可能部は、非延出状態において、本体部の肌面側に折り畳まれることになる。したがって、吸収性物品の本体粘着部を下着のような着用物品に貼り付けた状態で使用者が延出可能部を引っ張ったときに、延出可能部が着用物品と擦れ難い。よって、使用者は、容易に延出可能部を延出することができる。
【００２８】
好ましい一態様によれば、前記表面シートは不織布から構成されており、前記仮止め部は、少なくとも前記延出可能部における前記表面シートと、前記本体部における前記表面シートとを接合する接合部である。
【００２９】
本態様によれば、不織布どうしの溶着部を引きはがした際、不織布の表面の繊維が少し剥がれるものの、不織布を構成する繊維は残るため、不織布に穴が空き難い。したがって、仮止め部を剥がした際に、表面シートを構成する不織布に繊維を含まない穴が空いてしまうことを抑制できる。
【００３０】
好ましい一態様によれば、前記粘着部は、前記幅方向から見て少なくとも前記本体部の前記仮止め部の位置に重なっている。
【００３１】
これにより、仮止め部の付近において本体部は、本体粘着部によって着用物品にしっかりと固定された状態となる。この状態で使用者が延出可能部を引っ張ることによって、仮止め部に力がかかり易く、本体部と延出可能部との仮止め部を剥がし易い。
【００３２】
好ましい一態様によれば、前記第１折り部は、前記延出可能部の延出状態において前記第２折り部よりも前記吸収性物品の中心から遠い方に位置する。
【００３３】
本態様によれば、表面シートが向かい合うように吸収性物品を折り返す第１折り部が、裏面シートが向かい合うように吸収性物品を折り返す第２折り部よりも吸収性物品の中心から遠い方に位置することになる。これにより、延出可能部は、非延出状態において、本体部の非肌面側に折り畳まれることになる。
【００３４】
（２）第１実施形態
以下、図面を参照して、第１実施形態に係る吸収性物品ついて説明する。吸収性物品は、生理用ナプキン、パンティライナー、大人用失禁パッド又は尿取りパッドのような吸収性物品であってよい。以下の実施形態では、吸収性物品の一例として使い捨ての生理用ナプキンについて説明する。
【００３５】
なお、以下の図面の記載において、同一又は類似の部分には、同一又は類似の符号を付している。ただし、図面は模式的なものであり、各寸法の比率等は現実のものとは異なる場合があることに留意すべきである。したがって、具体的な寸法等は、以下の説明を参酌して判断すべきである。また、図面相互間においても互いの寸法の関係や比率が異なる部分が含まれ得る。
【００３６】
図１は、肌面側から見た第１実施形態に係る吸収性物品の非延出状態における平面図である。図２は、非肌面側から見た第１実施形態に係る吸収性物品の非延出状態における平面図である。図３は、肌面側から見た第１実施形態に係る吸収性物品の延出状態における平面図である。図４は、非肌面側から見た第１実施形態に係る吸収性物品の延出状態における平面図である。
【００３７】
吸収性物品１０は、前後方向Ｌと幅方向Ｗと厚み方向Ｔとを有する。前後方向Ｌは、着用者の前側（腹側）から後側（背側）に延びる方向、又は着用者の後側から前側に延びる方向である。幅方向Ｗは、前後方向Ｌと直交する方向である。厚み方向Ｔは、着用者の肌面側から非肌面側へ延びる方向であり、前後方向Ｌ及び幅方向Ｗに直交する方向である。肌面側は、使用時に、着用者の肌に面する側に相当する。非肌面側は、使用時に、肌面側とは反対側、すなわち着用者の肌とは反対に向けられる側に相当する。
【００３８】
吸収性物品１０は、着用者の肌側に向けられる表面シート１２と、着用者の肌とは反対側に向けられる裏面シート２０と、を有していてよい。表面シート１２は、液透過性シートを含んでいてよい。表面シート１２は、例えば液透過性の不織布によって構成されていてよい。裏面シート２０は、液不透過性シートを含んでいてよい。裏面シート２０は、例えば、液不透過性の合成樹脂フィルムによって構成されていてよい。
【００３９】
吸収性物品１０は、表面シート１２と裏面シート２０との間に吸収体３０を含んでいてよい。吸収体３０は、液体を吸収する吸収材料を含む吸収コアと、吸収コアを包むコアラップと、を有していてよい。吸収材料は、例えば、パルプや高吸収性ポリマー、又はこれらの混合からなる吸収材料であってよい。コアラップは、例えばティッシュや不織布によって構成されていてよい。
【００４０】
吸収性物品１０は、本体部１１と、本体部１１よりも外側に延出可能な延出可能部７０と、を有していてよい。本体部１１は、前述した表面シート１２、裏面シート２０及び吸収体３０を含んでいてよい。ここで、本体部１１は、吸収性物品１０の前後方向Ｌの中心を含む領域によって規定される。
【００４１】
また、本体部１１は、吸収体３０の幅方向における外側にサイド吸収体３２を有していてもよい。吸収体３０及びサイド吸収体３２は、前後方向Ｌに延びていてよい。ここで、サイド吸収体３２は、吸収体３０から離れて設けられていてもよい。
【００４２】
少なくとも本体部１１における裏面シート２０の非肌面側に、本体粘着部５０が設けられている。本体粘着部５０は、吸収性物品１０の使用時に、例えば下着のような着用物品に貼り付けられる。
【００４３】
延出可能部７０は、少なくとも表面シート１２及び裏面シート２０を含んでいてよい。延出可能部７０は、好ましくは吸収体３０を含む。具体的には、吸収体３０は、延出可能部７０における少なくとも第１折り部ＦＬ１と第２折り部ＦＬ２との間の領域に設けられていてよい。より好ましくは、吸収体３０は、延出可能部７０における第２折り部ＦＬ２と、延出方向における先端との間の領域に設けられていてよい。これにより、延出可能部７０が引き出された状態では、吸収性物品１０の内で吸収体３０が設けられた領域が広がる。
【００４４】
延出可能部７０は、本体部１１よりも前方又は後方に延出可能に構成されていることが好ましい。本実施形態では、延出可能部７０は、本体部１１の肌面側に折り畳まれている。
【００４５】
具体的一例として、第１実施形態では、吸収性物品１０は、幅方向Ｗに沿って延びる第１折り部ＦＬ１と、幅方向Ｗに沿って延びる第２折り部ＦＬ２と、を有する。第１折り部ＦＬ１は、表面シート１２が向かい合うように吸収性物品１０を折り返すよう構成されている。すなわち、第１折り部ＦＬ１は、肌面側から見て谷折りに折られる折り部に相当する。
【００４６】
第２折り部ＦＬ２は、裏面シート２０が向かい合うように吸収性物品１０を折り返すよう構成されている。すなわち、第２折り部ＦＬ２は、肌面側から見て山折りに折られる折り部に相当する。
【００４７】
第１折り部ＦＬ１と第２折り部ＦＬ２の少なくとも一方、好ましくは両方に沿って、吸収体３０の吸収コアを構成する吸収材料が存在しない領域、又は吸収材料の目付が低い領域が延びていることが好ましい。これにより、第１折り部ＦＬ１と第２折り部ＦＬ２の少なくとも一方、好ましくは両方が、折り畳まれ易くなっている。したがって、延出可能部７０が、非延出状態で本体部１１から浮き上がることを抑制することができる。
【００４８】
第１折り部ＦＬ１及び／又は第２折り部ＦＬ２に沿って、吸収体３０の吸収コアを構成する吸収材料の目付が低い領域が延びている場合、第１折り部ＦＬ１及び／又は第２折り部ＦＬ２においても経血を吸収できる。すなわち、第１折り部ＦＬ１及び／又は第２折り部ＦＬ２での折り易さと、経血を吸収する領域の確保とを両立できる。
【００４９】
一方で、第１折り部ＦＬ１及び／又は第２折り部ＦＬ２に沿って、吸収体３０の吸収コアを構成する吸収材料が実質的に存在しない場合、第１折り部ＦＬ１及び／又は第２折り部ＦＬ２に折り癖が付きにくく、吸収性物品の延出可能部７０が、着用者の肌に沿って湾曲し、肌にフィットし易くなる。すなわち、第１折り部ＦＬ１及び／又は第２折り部ＦＬ２での折り易さと、吸収性物品の肌へのフィット性を両立できる。
【００５０】
第２折り部ＦＬ２は、延出可能部７０の延出状態（図３及び図４参照）において第１折り部ＦＬ１よりも吸収性物品１０の前後方向Ｌにおける中心から遠い方に位置することが好ましい。本実施形態では、第２折り部ＦＬ２は、延出可能部７０の延出状態（図３及び図４参照）において第１折り部ＦＬ１よりも後側に位置する。本態様によれば、延出可能部７０の後方端部が吸収性物品１０の後方に向くため、使用者は、吸収性物品１０が下着のような着用物品に取り付けられ、かつ当該着用物品を装着した状態で延出可能部７０を掴みやすい。
【００５１】
延出可能部７０は、第１折り部ＦＬ１と第２折り部ＦＬ２との間の第１部分７２と、非延出状態において第１部分７２よりも肌面側に位置する第２部分７４と、を有する。延出可能部７０の第２部分７４は、延出可能部７０の展開状態において、第２折り部ＦＬ２よりも吸収性物品１０の前後方向Ｌの中心から遠い領域によって規定される。
【００５２】
ここで、着用物品の装着前に前後方向Ｌに長い従来の吸収性物品を着用物品に貼り付けた場合、使用者による着用物品の装着の過程で、吸収性物品の一部、特に後側の端部が、着用物品の幅方向における中心から位置ずれすることがあった。本実施形態では、延出可能部７０を延出させない状態で、吸収性物品１０を着用物品に貼りつけることができる。ここで、吸収性物品１０は、本体粘着部５０によって着用物品に貼りつけられる。そして、使用者は、延出可能部７０の非延出状態で、着用物品を装着する。ここで、延出可能部７０の非延出状態では、吸収性物品１０のサイズが小さいため、使用者による着用物品の装着の過程において、吸収性物品１０の一部の位置ずれが抑制される。それから、使用者は、着用物品を装着した状態で、着用物品の中に手を入れ、延出可能部７０を掴んで、延出可能部７０を延出させることができる。
【００５３】
延出可能部７０は前方又は後方に延出可能に構成されており、延出方向における延出可能部７０の端部は、吸収性物品１０の前方又は後方に向けられていることが好ましい。さらに、延出可能部７０は後方に延出可能に構成されていることがより好ましい。これにより、使用者は、吸収性物品１０が下着のような着用物品に取り付けられた状態で延出可能部７０を掴みやすい。特に、使用者が着用物品を装着した状態では、使用者は、着用物品を視認し難い。この場合であっても、延出可能部７０の端部が、吸収性物品１０の前方又は後方に向けられていることによって、使用者は、延出可能部７０を掴み易くなっている。
【００５４】
前後方向Ｌにおける延出可能部７０の第２部分７４の長さは、前後方向Ｌにおける延出可能部７０の第１部分７２の長さよりも長いことがより好ましい。これにより、延出可能部７０の第２部分７４が、第１部分７２よりも前方又は後方に突出する。したがって、使用者は、吸収性物品が下着のような着用物品に取り付けられ、かつ着用物品を装着した状態で、延出可能部７０の第２部分７４をより掴みやすくなる。
【００５５】
延出可能部７０の第１部分７２と厚み方向に重複する本体部１１の幅方向Ｗにおける幅は、第１部分７２の幅方向Ｗにおける幅よりも長いことが好ましい。これにより、延出可能部７０の非延出状態において、本体部１１の幅方向Ｗの外側部が、延出可能部７０の第１部分７２から外側にはみ出した状態になる（図１参照）。ここで、着用物品を装着した状態では、使用者は、吸収性物品１０の延出可能部７０を視認し難い。そのため、吸収性物品１０の外形を手で触って延出可能部７０を探す場合、使用者は、延出可能部７０と、延出可能部７０からはみ出した本体部１１との触感の違いにより、延出可能部７０を見つけることができる。
【００５６】
また、延出可能部７０の第１部分７２の幅方向Ｗにおける幅は、延出可能部７０の第２部分７４の幅方向Ｗにおける幅よりも長いことが好ましい。これにより、延出可能部７０の非延出状態において、延出可能部７０の第１部分７２が、第２部分７４よりも幅方向Ｗの外側に突出する（図１参照）。したがって、延出可能部７０の第１部分７２における裏面シート２０が、肌面側に露出する。これにより、使用者は、吸収性物品１０が着用物品に取り付けられた状態で、触感で第１部分７２における裏面シート２０を認識することができる。よって、使用者は、視認しにくい状態においても触感によって延出可能部７０を認識し易い。特に、表面シート１２が不織布から構成されており、かつ裏面シート２０が合成樹脂フィルムから構成されている場合、使用者は、触感の違いを容易に認識することができる。
【００５７】
延出可能部７０の第２部分７４のうち、少なくとも延出可能部７０の非延出状態において第１部分７２よりも前方又は後方に突出する部分は、本体部１１とは異なる触感を有することが好ましい。図２に示す例では、延出可能部７０の非延出状態において、第１折り部ＦＬ１よりも後方に突出した領域の非肌面側は、例えば不織布によって構成されていてよい。一方、本体部１１の裏面シート２０は合成樹脂フィルムによって構成されていてよい。
【００５８】
吸収性物品１０が着用物品に取り付けられた状態で、使用者が着用物品に両脚を入れている場合、使用者は、吸収性物品１０を視認し難い。この状態であっても、少なくとも延出可能部７０の非延出状態において第１折り部ＦＬ１よりも前方又は後方に突出する部分が、本体部１１（本体部の裏面シート２０）とは異なる触感を有するため、使用者は、触感によって容易に延出可能部７０を認識することができる。
【００５９】
本体粘着部５０の少なくとも一部は、延出可能部７０の非延出状態において、第１折り部ＦＬ１と第２折り部ＦＬ２との間の領域と厚み方向に重なる領域に設けられていることが好ましい。図２に示す態様では、第１折り部ＦＬ１と第２折り部ＦＬ２との間の領域と厚み方向に重なる領域に設けられた本体粘着部５０は、幅方向Ｗにおける中心を挟んで両側に設けられている。これにより、本体部１１の、延出可能部７０と厚み方向に重なる領域が、しっかりと着用物品に貼り付けられる。したがって、使用者が延出可能部７０を引っ張ったときに、本体部１１がしっかりと着用物品に固定されたまま、延出可能部７０を延出させることができる。
【００６０】
本体粘着部５０は、延出可能部７０の第１部分７２には設けられていないことが好ましい。これにより、本体粘着部５０によって延出可能部７０が折りたたまれた状態で接合されることによって延出可能部７０が引き出し難くなることを抑制できる。
【００６１】
また、延出可能部７０の第２部分７４の非肌面側には、必要に応じて第２粘着部５６が設けられていてよい。第２粘着部５６は、延出可能部７０の非延出状態において、第１折り部ＦＬ１と第２折り部ＦＬ２との間の領域と厚み方向に重なる領域に設けられていてよい。これにより、延出可能部７０の延出状態において、延出可能部７０をしっかりと着用物品に貼り付けることができる。この場合、延出可能部７０を容易に延出できるよう、第１折り部ＦＬ１と第２折り部ＦＬ２との間の領域の非肌面側は、離型処理されていてもよい。なお、第２粘着部５６は、後述する第２実施形態及び第３実施形態に係る吸収性物品にも適用できる。
【００６２】
図５、図６及び図７は、第１実施形態に係る吸収性物品において、延出可能部７０を非延出状態から延出状態へ延出するようすを示している。延出可能部７０は、吸収性物品が下着のような着用物品に取り付けられ、かつ着用者が着用物品を装着した状態で延出させられる。
【００６３】
延出可能部７０が本体部１１の肌面側に折り畳まれている場合、吸収性物品１０の本体粘着部５０を下着のような着用物品に貼り付けた状態で使用者が延出可能部７０を引っ張ったときに、延出可能部７０が着用物品Ｕと擦れ難い（図５〜７も参照）。特にショーツのような着用物品Ｕは、着用者の肌にフィットするように収縮性を有することが多い。このような着用物品Ｕは、吸収性物品の非肌面側を押圧することになる。しかしながら、本実施形態では、延出可能部７０が本体部１１の肌面側に折り畳まれているため、延出可能部７０が着用物品Ｕと擦れ難い。したがって、使用者は、容易に延出可能部７０を延出させることができる。
【００６４】
また、延出可能部７０の展開状態において、肌面側から見て山折りの第２折り部ＦＬ２が、肌面側から見て谷折りの第１折り部ＦＬ１よりも前後方向Ｌの中心から遠くに位置することが好ましい。この場合、延出可能部７０を延出させる際に、肌面側から見て山折りの第２折り部ＦＬ２が着用者の肌の方に突出するように変形する（図５〜図７参照）。ここで、使用者が、着用物品の中に手を入れ、延出可能部７０を掴んだ場合、着用者の手の位置付近において、延出可能部７０付近の位置と着用者の臀部との間には、手の挿入に起因する隙間が生じる。そして、延出可能部７０を延出させる際、第２折り部ＦＬ２の位置は、使用者の手が背側に持ち上がるとともに、背側に移動する。すなわち、着用物品Ｕから着用者の肌に向かって突出する第２折り部ＦＬ２の位置は、使用者の手の位置付近に存在し続ける。そのため、第２折り部ＦＬ２の位置は、手の挿入に起因する隙間の位置に存在し易いため、着用物品Ｕと肌とに挟まれ難い。したがって、使用者は、特に延出可能部７０を延出させ易い。
【００６５】
また、図１〜図４に示すように、吸収性物品１０は、本体部１１と延出可能部７０とを仮止めする仮止め部６０を有することが好ましい。仮止め部６０は、第１折り部ＦＬ１と第２折り部ＦＬ２との間の領域に設けられていることがより好ましい。すなわち、延出可能部７０と本体部１１は、第１折り部ＦＬ１と第２折り部ＦＬ２との間の領域で、仮止め部６０によって仮止めされていることがより好ましい。
【００６６】
仮止め部６０は、使用者が延出可能部７０を引っ張ることにより外すことができる、すなわち展開可能な程度の接合力で止められた部分によって規定される。仮止め部６０は、例えばホットメルト接着剤のような接着剤、熱溶着による接合部、又は超音波溶着による接合部等によって形成することができる。
【００６７】
仮止め部６０により、延出可能部７０の非延出状態において、延出可能部７０が本体部１１から肌側に浮き上がることを抑制することができる。したがって、吸収性物品１０の本体粘着部５０を下着のような着用物品に貼り付けた状態で着用物品を引き上げる際に、使用者は、延出可能部７０の形状を保ったまま、着用物品を装着できる。これにより、着用時に延出可能部７０が肌と擦れるといった違和感を抑制できる。
【００６８】
さらに、使用者が使用前に吸収性物品１０を扱っている際に、延出可能部７０が本体部１１から浮き上がったり、本体部１１からずれたりすることによって、延出可能部７０が本体部１１の本体粘着部５０に付着してしまうことを抑制することもできる。
【００６９】
本実施形態では、仮止め部６０は、本体部１１と、延出可能部７０の第１部分７２と、延出可能部７０の第２部分７４とが重なった領域に設けられている。これにより、延出可能部７０が本体部１１から浮き上がらないよう、延出可能部７０をしっかりと仮止めすることができる。
【００７０】
第１折り部ＦＬ１と第２折り部ＦＬ２との間の仮止め部６０は、非延出状態で第１折り部ＦＬ１と第２折り部ＦＬ２のうち延出可能部７０の延出方向の上流側の折り部に近い方に位置することが好ましい。具体的には、本実施形態では、第１折り部ＦＬ１と第２折り部ＦＬ２との間の仮止め部６０は、第１折り部ＦＬ１よりも第２折り部ＦＬ２に近い方に位置することが好ましい（図１〜図４参照）。これにより、使用者が、延出可能部７０を引き出す際に、まず仮止め部６０が外れてから、延出可能部７０が引き出される。したがって、仮止め部６０に引き出す際の力がしっかりとかかるので、使用者は、仮止め部６０を容易に外すことができる。
【００７１】
仮止め部６０は、吸収体３０の吸収コアを避けた位置６２に設けられていることが好ましい。吸収体３０の吸収コアを避けた位置で仮止めされる場合、仮止め部６０を剥がす際に吸収コア上の表面シート１２にダメージが及ぶことを抑制することができる。これにより、液体を吸収した吸収体３０からの液体の漏れを抑制できる。
【００７２】
また、仮止め部６０が熱溶着又は超音波溶着により形成される場合、仮止め部６０を比較的厚みの大きい吸収コアを避けた位置に配置することによって、吸収性物品の製造時に仮止めし易い。
【００７３】
本体粘着部５０は、幅方向Ｗから見て少なくとも本体部１１の仮止め部６０の位置に重なっていることが好ましい。より好ましくは、本体粘着部５０と、本体粘着部５０よりも幅方向Ｗの外側に位置する粘着部５４とが、幅方向において、仮止め部６０を挟むように設けられていてよい。これにより、仮止め部６０の付近において本体部１１は、本体粘着部５０によって着用物品にしっかりと固定された状態となる。この状態で使用者が延出可能部７０を引っ張ることによって、仮止め部６０に力がかかり易く、本体部１１と延出可能部７０との仮止め部を剥がし易い。
【００７４】
本体粘着部５０は、幅方向Ｗにおいて仮止め部６０よりも内側に設けられていてよい。
【００７５】
表面シート１２が不織布から構成されている場合、仮止め部６０は、少なくとも延出可能部７０における表面シート１２と、本体部１１における表面シート１２とを接合する接合部によって構成されていることが好ましい。不織布どうしの接合部を引きはがした際、不織布の表面の繊維が少し剥がれるものの、不織布の破れは生じ難い。したがって、仮止め部６０を剥がした際に、表面シート１２が破損してしまうことを抑制できる。
【００７６】
（３）第２実施形態
次に、第２実施形態に係る吸収性物品について説明する。図８、図９及び図１０は、第２実施形態に係る吸収性物品において非延出状態から延出状態へ延出可能部を延出するようすを示している。ここで、第２実施形態に係る吸収性物品は、上記第１実施形態に係る吸収性物品１０とほぼ同様である。ただし、第２実施形態に係る吸収性物品では、延出可能部７０の展開状態において、肌面側から見て山折りの第２折り部ＦＬ２が、肌面側から見て谷折りの第１折り部ＦＬ１よりも前後方向Ｌの中心近くに位置する。すなわち、延出可能部７０が本体部１１の非肌面側に折り畳まれている（図８参照）。
【００７７】
第２実施形態に係る吸収性物品では、延出可能部７０を延出させる際に、延出可能部７０の第１折り部ＦＬ１が着用物品Ｕと擦れることになる。また、第２実施形態では、延出可能部７０を延出させる際に、肌面側から見て山折りの第２折り部ＦＬ２が着用者の肌の方に突出するように変形する（図８〜図１０参照）。ここで、延出可能部７０を延出させる際、第２折り部ＦＬ２の位置は、使用者の手が背側に持ち上がったとしても、背側に移動しない。すなわち、着用物品Ｕから着用者の肌に向かって突出する第２折り部ＦＬ２の位置は、相対的に使用者の手の位置から離れることになる。この場合であっても、使用者は、着用物品を装着した状態で延出可能部７０を延出させることができる。
【００７８】
（４）第３実施形態
次に、第３実施形態に係る吸収性物品について、説明する。図１１は、肌面側から見た第３実施形態に係る吸収性物品の非延出状態における平面図である。図１２は、非肌面側から見た第３実施形態に係る吸収性物品の非延出状態における平面図である。図１３は、肌面側から見た第３実施形態に係る吸収性物品の延出状態における平面図である。図１４は、非肌面側から見た第３実施形態に係る吸収性物品の延出状態における平面図である。図１１〜図１４において、第１実施形態と同様の構成要件については、同じ符号が付されている。なお、以下では、第１実施形態と同様の構成要件については、その説明を省略することがある。
【００７９】
第３実施形態では、吸収性物品は、吸収体３０よりも幅方向外側に延出したウイング１６と、ウイング１６よりも後方で吸収体３０よりも幅方向外側に延出したヒップフラップ１８と、を有する。ウイング１６は、使用時に着用物品の非肌面側に折り返される。
【００８０】
第３実施形態において、延出可能部７０は、第１折り部ＦＬ１と第２折り部ＦＬ２との間の第１部分７２と、非延出状態で第１部分７２よりも肌面側に位置する第２部分７４と、を含む。仮止め部６０は、本体部１１と延出可能部７０の第１部分７２とが重なり、かつ第１部分７２と第２部分７４とが重なっていない領域に設けられている。これにより、第１実施形態と比較すると、比較的弱い力で仮止め部６０が外れるため、使用者は、延出可能部７０を弱い力で引き出し易くなる。
【００８１】
また、第１折り部ＦＬ１と第２折り部ＦＬ２との間の仮止め部６０が、本体部１１と延出可能部７０の第１部分７２とが重なり、かつ第１部分７２と第２部分７４とが重なっていない領域に設けられている場合、延出可能部７０の第２部分７４は、延出可能部７０の第１部分７２から自然に浮き上がってしまうことがある。そのため、延出可能部７０の第２部分７４の非肌面側に第２粘着部５６が設けられることがより好ましい。より詳細には、第２粘着部５６は、延出可能部７０の非延出状態において、第１折り部ＦＬ１と第２折り部ＦＬ２との間の領域と厚み方向に重なる領域に設けられる。これにより、本体部１１と延出可能部７０の第１部分７２とが仮止め部６０によって止着され、延出可能部７０の第１部分７２と第２部分７４とが第２粘着部５６によって止着される。
【００８２】
本実施形態では、第１折り部ＦＬ１と第２折り部ＦＬ２との間の仮止め部６０は、非延出状態で第１折り部ＦＬ１と第２折り部ＦＬ２のうち延出可能部７０の延出方向の下流側の折り部に近い方に位置することが好ましい。具体的には、本実施形態では、第１折り部ＦＬ１と第２折り部ＦＬ２との間の仮止め部６０は、第２折り部ＦＬ２よりも第１折り部ＦＬ１に近い方に位置する。これにより、使用者が、延出可能部７０が最大限引き出される直前に仮止め部６０が外れることになる。したがって、使用者は、仮止め部６０が外れる感触によって延出可能部７０を最大限引き出したかどうかを認識することができる。
【００８３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【００８４】
例えば、第１〜第３実施形態において、仮止め部６０は、幅方向Ｗにおける中心を挟んで両側に設けられている。この代わりに、仮止め部６０は、幅方向Ｗにおける中央部に設けられていてもよい。この場合、仮止め部６０は、厚み方向に吸収コアに重なる領域に設けられていてもよい。この場合、例えば、仮止め部６０は、本体部１１と第１部分７２とのみを接合するように形成されていてもよく、本体部１１と第１部分７２と第２部分７４とを接合するように配置されてもよい。
【産業上の利用可能性】
【００８５】
上記実施形態によれば、着用物品に取り付けられた状態で延出可能部を引き出し易い吸収性物品を提供することができる。
【符号の説明】
【００８６】
１０    吸収性物品
１１    本体部
１２    表面シート
２０    裏面シート
３０    吸収体
６０    仮止め部
７０    延出可能部
ＦＬ１  第１折り部
ＦＬ２  第２折り部
Ｌ      前後方向
Ｗ      幅方向
【図１】
2019118578.tif 000003
【図２】
2019118578.tif 000004
【図３】
2019118578.tif 000005
【図４】
2019118578.tif 000006
【図５】
2019118578.tif 000007
【図６】
2019118578.tif 000008
【図７】
2019118578.tif 000009
【図８】
2019118578.tif 000010
【図９】
2019118578.tif 000011
【図１０】
2019118578.tif 000012
【図１１】
2019118578.tif 000013
【図１２】
2019118578.tif 000014
【図１３】
2019118578.tif 000015
【図１４】
2019118578.tif 000016